(57)【要約】【課題】インバータ回路に起因する液晶表示画面上のノイズを軽減できる「バックライト装置」を提供する。【解決手段】バックライト装置２００は、冷陰極管４０と、前記冷陰極管４０を発光させるインバータ回路２０と、インバータ回路２０を動作させる複数の異なる発振周波数条件を格納した記憶手段３４と、水平走査期間毎に前記異なる発振周波数で前記インバータ回路２０を動作させる制御手段３１とを有する。前記複数の異なる発振周波数は４５ｋＨｚから６５ｋＨｚの範囲内であっても良く、前記制御手段３１は、連続する水平走査期間毎に発振周波数の値が昇順又は降順にならないように予め決められた発振周波数で前記インバータ回路２０を動作させるようにしても良い。【選択図】図４
2008070409.tif 000002
【特許請求の範囲】
【請求項１】
冷陰極管と、
前記冷陰極管を発光させるインバータ回路と、
インバータ回路を動作させる複数の異なる発振周波数条件を格納した記憶手段と、
各水平走査期間毎に前記異なる発振周波数で前記インバータ回路を動作させる制御手段とを有することを特徴とするバックライト装置。
【請求項２】
前記複数の異なる発振周波数は４５ｋＨｚから６５ｋＨｚの範囲内であることを特徴とする請求項１に記載のバックライト装置。
【請求項３】
前記制御手段は、連続する水平走査期間毎に発振周波数の値が昇順又は降順にならないように予め決められた発振周波数で前記インバータ回路を動作させることを特徴とする請求項１又は２に記載のバックライト装置。
【請求項４】
更に、基本周波数を分周する分周手段を有し、
前記制御手段は、前記分周手段に前記基本周波数から前記異なる発振周波数を生成する分周比を指示して前記分周手段に基本周波数を分周させ、当該発振周波数で前記インバータ回路を動作させることを特徴とする請求項１から３のいずれか一項に記載のバックライト装置。
【請求項５】
前記基本周波数はカラーサブキャリアの周波数であることを特徴とする請求項４に記載のバックライト装置。
【発明の詳細な説明】
【技術分野】
【０００１】
本発明は、液晶表示パネルの背面に隣接して配置されるバックライト装置に関する。
【背景技術】
【０００２】
液晶表示装置は、薄くて軽量であり、低電圧で駆動できて消費電力が小さいという利点がある。このため、液晶表示装置は、テレビ、ＰＣ（パーソナルコンピュータ）、ＰＤＡ（携帯端末）及び携帯電話など、種々の電子機器に使用されている。特に、各画素（サブピクセル）毎にスイッチング素子としてＴＦＴ（Thin Film Transistor：薄膜トランジスタ）を設けたアクティブマトリクス方式の液晶表示装置は、その駆動能力の高さからＣＲＴにも匹敵する優れた表示特性を示し、ディスクトップ型ＰＣやテレビなど従来ＣＲＴが使用されていた分野にも広く使用されるようになった。
【０００３】
このような液晶表示装置は、液晶表示パネルを有し、液晶表示パネルの裏側にバックライト装置を配置して表示画面を照らしている。バックライト装置にはＣＣＦＬ（Cold Cathode Florescent Lamp：冷陰極管）を使用しており、このＣＣＦＬを駆動するための高圧発生回路が用いられている。高圧発生回路では、高圧トランスを使い、低電圧から所望の高電圧を得るようにしている。例えば、車載用ナビゲーション装置などで使用される７インチ型のＬＣＤでは、ＣＣＦＬを点灯させる開始電圧は１５００Ｖｒｍｓ〜２０００Ｖｒｍｓであり、点灯後の維持電圧は６００Ｖｒｍｓ〜７００Ｖｒｍｓとなっている。また、好適な周波数範囲は、トランスの周波数特性に依存して４５ｋＨｚ〜６５ｋＨｚ程度となっている。
【０００４】
図１にＣＣＦＬを点灯させる自励型のインバータ回路の一例を示す。このインバータ回路は、トランジスタ、インダクタ、トランス及びコンデンサで構成される。入力端子に直流電圧が印加されると、インダクタＬ、抵抗Ｒ１、Ｒ２を通じてトランジスタＱ１，Ｑ２に電流が供給される。電流が供給されたトランジスタはオンオフ動作を繰り返して発振する。発振周波数はトランスＴの一次巻線のインダクタンスとコンデンサＣｒとの共振周波数で決まる。
【０００５】
トランスＴは１次巻線側に供給された電圧をＣＣＦＬが点灯するのに必要な電圧まで昇圧して２次巻線から出力する。トランスＴで発生した高電圧はバラストコンデンサＣｂを通じてＣＣＦＬに印加されて点灯する。
【０００６】
このように、高圧の交流電圧を生成するために一般にインバータ回路を使用しているため、インバータ回路の発振動作に伴って発生する電気的ノイズが微小信号を扱う映像信号処理回路に混入し、ＬＣＤ画面にノイズを発生させてしまう。このようなノイズを除去する技術として、特許文献１には、他励式インバータを用いた回路が開示されている。
【特許文献１】特開平１０−１９９６９０号公報
【発明の開示】
【発明が解決しようとする課題】
【０００７】
上記したように、バックライト装置ではインバータ回路を用いて直流電圧を交流電圧に変換している。この変換の際に、インバータ回路の周波数に依存して、表示画面にノイズが出現する。
【０００８】
従来、インバータ回路内の発振周波数は映像信号の水平同期周波数の整数倍に設定されていた。しかし、この場合であっても、ノイズが画面の同じ位置に発生する定パターンノイズが発生して画面が見づらくなる現象が生じていた。
【０００９】
図２は、ＮＴＳＣ方式の場合に帯状ノイズが画面のどの位置に発生するかを説明する図である。図２（ａ）は水平同期信号を示しており、その周期は６３．５μｓである。図２（ｂ）は映像信号を示しており、その映像期間は５２．６μｓである。映像信号は水平同期期間の開始から９．４μｓ後から表示画面に出力される。図２（ｃ）は表示画面の水平走査線を示しており、α１、α２、α３は水平走査線上に発生するノイズの位置を示している。この例では、インバータの周波数が３逓倍で水平同期期間と同期が取れているものと仮定している。すなわち、６３．５μｓの１／３の２１．１７μｓ毎にノイズ（α１、α２、α３）が発生している。映像信号期間、すなわち表示画面上には、ノイズα２及びα３が発生することになる。インバータの周波数が３逓倍で水平同期期間と同期が取れているため、すべての水平走査線の同じ位置にノイズが発生し、画面上には帯状のノイズ（ビートノイズ）が定位置（α２とα３）に発生することになる。
【００１０】
また、インバータの周波数が水平同期期間と同期が少し外れている場合には、ノイズが流れるように表示され、定位置のノイズよりもさらに画面が見づらくなってしまう。この場合には、ノイズが３本表示される場合もある。
【００１１】
本発明は、かかる従来技術の課題に鑑みなされたものであり、インバータ回路に起因して発生する液晶表示画面上のノイズを軽減できるバックライト装置を提供することを目的とする。
【課題を解決するための手段】
【００１２】
上述した従来技術の課題を解決するため、本発明の一形態によれば、冷陰極管と、前記冷陰極管を発光させるインバータ回路と、インバータ回路を動作させる複数の異なる発振周波数条件を格納した記憶手段と、各水平走査期間毎に前記異なる発振周波数で前記インバータ回路を動作させる制御手段とを有することを特徴とするバックライト装置が提供される。
【００１３】
この形態に係るバックライト装置において、前記複数の異なる発振周波数は４５ｋＨｚから６５ｋＨｚの範囲内であっても良く、前記制御手段は、連続する水平走査期間毎に発振周波数の値が昇順又は降順にならないように予め決められた発振周波数で前記インバータ回路を動作させるようにしても良い。
【００１４】
また、この形態に係るバックライト装置において、更に、基本周波数を分周する分周手段を有し、前記制御手段は、前記分周手段に前記基本周波数から前記異なる発振周波数を生成する分周比を指示して前記分周手段に基本周波数を分周させ、当該発振周波数で前記インバータ回路を動作させるようにしても良く、前記基本周波数はカラーサブキャリアの周波数であっても良い。
【００１５】
本発明のバックライト装置におけるインバータ回路では、水平走査期間毎にインバータの発振周波数を変えるようにしている。インバータ回路を動作させるための周波数は、４５ｋＨｚから６５ｋＨｚの範囲に入るような複数の値であり、カラーサブキャリア等の基本信号の周波数を基に分周して生成し、インバータ回路を動作させるようにしている。また、インバータ回路を動作させるために適用する発振周波数の値の順序を昇順又は降順にならないようにして、水平走査期間毎に異なる発振周波数でインバータ回路を動作させるようにしている。これにより、バックライト装置のインバータ回路に起因するノイズの発生位置を水平走査線間で分散させることができ、ノイズとして目立たなくなり、表示画面が見づらくなることを軽減することが可能となる。
【発明を実施するための最良の形態】
【００１６】
以下、本発明の実施形態について、添付の図面を参照して説明する。
【００１７】
（液晶表示装置の構成及び動作）
図３は本発明の一実施形態に係るバックライト装置２００を備えた液晶表示装置１００の構成を示すブロック図である。液晶表示装置１００は、制御部１１、駆動部（ソースドライバ１４、ゲートドライバ１３）、表示部（液晶パネル）１５及びバックライト装置２００を基本要素として構成される。
【００１８】
液晶パネル１５は、ガラス薄板からなる２枚の透明基板と、これらの基板間に封入された液晶とにより構成される。一方の基板には画素毎に画素電極及びＴＦＴ等が形成され、他方の基板には画素電極に対向するカラーフィルタと、各画素共通の共通電極とが形成されている。
【００１９】
画素電極及びＴＦＴが形成された基板の上には、ＮＴＳＣ映像信号の１フィールドあたりの水平映像信号数に対応して、２４０本（パネルによっては２３４本）の複数の水平画素ライン（ゲートバスライン）１８と、複数のデータバスラインとが形成されている。これらのゲートバスラインとデータバスラインとにより区画される矩形の領域が画素領域である。各画素領域にはスイッチング素子であるＴＦＴと画素電極とが形成される。ＴＦＴのゲートは、ゲートバスラインに接続され、ソースはデータバスラインに接続され、ドレインは画素電極に接続される。
【００２０】
ゲートドライバ１３は、複数の出力端子を有しており、各出力端子はそれぞれ対応するゲートバスライン１８に電気的に接続されている。また、ゲートドライバ１３は内部にシフトレジスタを持ち、垂直方向にクロック信号に応じて１行分の画素を順次選択する。
【００２１】
ソースドライバ１４も、複数の出力端子を有しており、各出力端子はそれぞれ対応するデータバスラインに電気的に接続される。また、ソースドライバ１４は、ゲートドライバ１３によって選択された１行分の画素に対して、映像信号の１ライン分を書き込む。
【００２２】
制御部１１は、アナログビデオ信号処理部１６とタイミングコントロール部１７を含んでいる。
【００２３】
アナログビデオ信号処理部１６は、外部から入力された映像信号をデコードし、輝度信号とクロマ信号を取り出す。また、映像信号から分離した同期信号（垂直同期信号ＶＤ、及び水平同期信号ＨＤ）をタイミングコントロール部１７に転送する。また、アナログビデオ信号処理部１６は、輝度信号とクロマ信号を処理後、原色信号としてソースドライバ１４に送出する。
【００２４】
タイミングコントロール部１７は、同期信号に基づいて、種々のタイミング信号を作成し、ソースドライバ１４、及びゲートドライバ１３に供給する。
【００２５】
このように構成された液晶表示装置１００において、表示パネル１５に映像信号を表示させる動作について以下に説明する。
【００２６】
制御部１１に映像信号が入力されると、アナログビデオ信号処理部１６において映像信号をデコードし、輝度信号とクロマ信号から、Ｒ，Ｇ，Ｂの原色セパレート信号に変換してソースドライバ１４に送出する。また映像信号から同期信号を分離し、タイミングコントロール部１７へ送出する。
【００２７】
タイミングコントロール部１７では、同期信号から水平同期信号ＨＤと垂直同期信号ＶＤとを分離する。水平同期信号ＨＤに基づいて、液晶パネル１５を駆動制御するための制御信号が形成される。制御信号として、ソースドライバ１４に供給されるデータクロック信号（ソースドライバ制御信号）、ゲートドライバ１３に供給されるゲートクロック信号（ゲートドライバ制御信号）がある。
【００２８】
また、分離された水平同期信号ＨＤ及び垂直同期信号ＶＤは、バックライト装置２００の発振制御部３１に伝送される。
【００２９】
映像信号は、ビデオ信号としてソースドライバ１４に供給される。供給された信号は、各画素の表示内容に対応する電圧として、１水平同期期間内に、データクロック信号に同期したタイミングで各データバスラインに表示データを出力する。
【００３０】
一方、ゲートドライバ１３は、ゲートバスライン１８を順に選択するために、１垂直同期期間内に、ゲートクロック信号に同期したタイミングでゲートバスライン１８に順番に走査信号を出力する。
【００３１】
走査信号が供給されたゲートバスライン１８に接続されている画素のＴＦＴがオンになり、データバスラインに供給された表示データが画素電極に書き込まれる。これにより、画素内の液晶分子の向きが変化し、それに伴って画素の光透過率が変化する。１垂直同期期間内に各画素にそれぞれ表示データが書き込まれて、液晶表示装置に所望の画像が表示される。
【００３２】
次に、図４を参照して、バックライト装置２００の構成及び動作について説明する。
【００３３】
図４はバックライト装置２００の構成を示すブロック図である。バックライト装置２００はインバータ制御部３０、インバータ部２０、冷陰極管（ＣＣＦＬ）４０で構成される。
【００３４】
ＣＣＦＬ４０は、管の両端に高電圧が加えられることにより、管内の不活性ガスが電離して紫外線（ＵＶ）が生成される。この紫外線によって内側にコーティングされた蛍光体が励起されて可視光が生成される。
【００３５】
インバータ部２０は、トランス２２とスイッチング部２１で構成される。トランス２２は電源電圧（不図示）の電圧をＣＣＦＬの駆動に必要な電圧まで昇圧する。スイッチング部２１は、例えば、プッシュプルトランジスタのように対向する２つのトランジスタで構成される。２つのトランジスタの出力はそれぞれトランス２２の一次巻線に接続される。トランス２２の一次巻線は中点で分割され、一方が正の半波を受け持つトランジスタの、他方が負の半波を受け持つトランジスタの各コレクタに接続される。
【００３６】
インバータ制御部３０は発振制御部３１と１／Ｎ分周回路３２と出力回路３３で構成され、インバータ部２０の発振周波数を制御する。
【００３７】
１／Ｎ分周回路３２は基本信号を受信し、基本信号の周波数を発振制御部３１から指定される分周比に分周して出力回路３３に出力する。基本信号として、例えば周波数が３．５７９５４５ＭＨｚのカラーサブキャリアが使用される。
【００３８】
出力回路３３は、例えばフリップフロップ（ＦＦ）回路で構成され、１／Ｎに分周された基本信号の周波数をさらに１／２に分周する。例えば、出力回路はＴフリップフロップ回路で構成され、１／Ｎ分周回路３２によって得られた信号をトリガとして、ＴフリップフロップのＴ端子に入力し、２つのトリガ信号で１／２Ｎ周期の方形出力１個を出力するようにする。
【００３９】
発振制御部３１はマイクロコンピュータにより構成され、予め算出され格納された基本信号を分周する分周比を記憶部３４から抽出し、１／Ｎ分周回路３２に分周比を指示する。また、発振制御部３１は、水平同期信号ＨＤ及び垂直同期信号ＶＤを受信する。これらの同期信号は、１／Ｎ分周回路３２に分周比を指示するタイミングを決定するために使用される。
【００４０】
このように構成されたバックライト装置２００の動作について以下に説明する。
【００４１】
まず、インバータ部２０を動作させるための発振周波数について説明し、次に、バックライト装置２００の動作について、インバータ制御部３０における発振周波数の制御を中心に説明する。
【００４２】
本実施形態では、複数の異なる発振周波数でインバータ部２０を動作させるようにしている。インバータ部２０を動作させるための発振周波数としては、４５ｋＨｚから６５ｋＨｚの範囲内の周波数を使用する。この範囲はトランス２２の周波数特性に依存しており、発振周波数をこの範囲にすることにより、歪みの少ない出力を得ることができる。複数の異なる周波数は、基本となる周波数を分周回路に通すことによって取得する。所望の発振周波数を取得するために、基本周波数を何分周するかを示す発振周波数と分周比との関係を算出し、記憶部３４に格納する。なお、本実施形態では、基本信号としてカラーサブキャリアを使用する場合について説明する。
【００４３】
図５は、インバータを動作させる発振周波数と、基本信号の周波数の分周比との関係を示す図である。
【００４４】
図５では、異なる複数の発振周波数として７つの周波数を使用する例を示している。発振周波数は５１．１ｋＨｚから６１．７ｋＨｚの範囲内に７つあり、これらはすべて好適な周波数（４５ｋＨｚから６５ｋＨｚ）の範囲に入っている。
【００４５】
図５（ａ）の分周比は、１／Ｎ分周回路３２によって基本信号を分周する比率を示している。Ｆ／Ｆ出力は、１／Ｎ分周回路３２によって分周された基本信号をさらに１／２分周した値を示している。
【００４６】
例えば、パターン１は、１／Ｎ分周回路３２で基本信号を１／３５分周することにより、Ｆ／Ｆ出力回路３３を介して基本信号が１／７０分周されたことになり、結果としてスイッチング部２１に送出する周波数が５１．１ｋＨｚになることを示している。
【００４７】
また、このときノイズ間隔は１９．５７μｓであり、水平走査線上にこの時間間隔でノイズが発生することを示している。
【００４８】
本実施形態では、水平走査線の同じ位置にノイズが現れないようにするために、水平走査期間毎に使用する分周比を変えるようにしている。
【００４９】
ノイズの発生位置が水平走査線毎にランダムであればあるほど、ノイズが目立たなくなる。よって、適用するパターンは、発振周波数の間隔が等間隔にならないようにすればよい。また、隣接する水平走査線間では発振周波数の差がなるべく大きくなるようにすることにより、ノイズを目立たなくさせることができる。このような条件を満たす例として、例えば、分周比のパターンを水平走査期間毎にパターンＮｏ．１，５，３，７，２，６，４の順に使用するようにする。
【００５０】
以上説明した発振周波数条件、分周比及び分周比パターン使用順を記憶部３４に格納しておく。
【００５１】
次に、インバータ制御部３０におけるインバータ部２０を動作させるための発振周波数の制御について説明する。
【００５２】
発振制御部３１は水平同期信号ＨＤ及び垂直同期信号ＶＤを受信し、垂直同期信号ＶＤをトリガとして、水平同期信号ＨＤをカウントし、表示上の水平走査ラインが何番目のラインかに応じて基本信号に対する分周比を１／Ｎ分周回路３２に指示する。
【００５３】
例えば、水平走査線毎に１／Ｎ分周回路３２に指示する分周比のパターンが、図５（ｂ）のＰＴ１に示す順に規定されているとする。１番目の水平走査ラインであることを判定した発振制御部３１は、記憶部３４に格納されている対応テーブルからパターン１、すなわち１／Ｎ分周回路３２に指示する分周比が３５であることを取得し、１／Ｎ分周回路３２にその値を指示する。
【００５４】
１／Ｎ分周回路３２では、発振制御部３１から受信した分周比に基づいて分周回路を構成し、基本信号（周波数３．５７９５４５ＭＨｚのカラーサブキャリア）を分周する。
【００５５】
１／Ｎ分周回路３２は、例えば、フリップフロップ回路を用い指定される分周が可能なように構成される。
【００５６】
分周された信号は出力回路３３に送出される。出力回路３３は例えばフリップフロップ回路で構成され、出力端子Ｑ、ＱＢから相補的な信号が出力される。出力回路３３の出力端子Ｑ及びＱＢはそれぞれスイッチング部のスイッチング素子（例えばトランジスタ）に接続され、出力端子Ｑの出力がＨレベルのときは出力端子Ｑに接続されるトランジスタが動作し、出力端子Ｑの出力がＬレベルのときは出力端子ＱＢに接続されるトランジスタが動作する。このように、２つのトランジスタが交互に動作し続けることにより、基本信号の周波数を１／２Ｎに分周した周波数で発振し、トランスの２次側に交流電圧が発生する。なお、出力信号波形は方形波となるが、この出力信号を適宜ＬＰＦ（低域通過フィルタ）に通すことにより、正弦波に近い波形に整形され、効率良く光を出力することが可能になる。
【００５７】
次に、発振制御部３１が水平同期信号を受信し、２番目の水平走査ラインであることを判定すると、２番目の水平走査ラインに対応する分周比パターンを記憶部３４から取得する。図５（ｂ）のＰＴ２に示すように、２番目の分周比パターンは、パターン５であるため、分周比１／３１を１／Ｎ分周回路に指示する。
【００５８】
この後、１／Ｎ分周回路３２、出力回路３３、スイッチング回路２１及びトランス２２は上記と同様な動作をし、インバータ部２０を５７．７ｋＨｚで動作させ、２番目の水平走査線上に発生するノイズを１７．３３μｓの間隔にする。
【００５９】
水平走査線が７本表示し終えた後は、分周比パターンは１に戻って選択される。
【００６０】
以上の動作を繰り返し行い、ノイズが水平走査線毎に異なって表示されるようにしている。
【００６１】
図６は、図５に示した分周比を元にインバータを動作させた結果、水平走査線上に発生するノイズＡＮの位置を示した図である。
【００６２】
例えば、図６に示すように、連続するｈ１からｈ７の７本の水平走査線に対して、水平走査線ｈ１にパターン１の分周比、水平走査線ｈ２にパターン５の分周比、水平走査線ｈ３にパターン３の分周比、水平走査線ｈ４にパターン７の分周比、水平走査線ｈ５にパターン２の分周比、水平走査線ｈ６にパターン４の分周比、水平走査線ｈ７にパターン６の分周比を指示するようにした結果である。
【００６３】
このように、隣接する水平走査線の間で発振周波数が同じではなく等間隔でもない。よって、同じ位置にノイズが発生することもなく帯状のノイズになることもない。これにより、ノイズを目立たなくすることができ、表示画面の見づらさを軽減することが可能になる。
【００６４】
なお、本実施形態では、１／Ｎ分周回路３２に指示する分周パターンの順序を予め決め、何番目の水平走査線かに応じて分周パターンを指定するようにしているが、指示する分周パターンの順序を予め決めずに、ランダムにパターンを適用するようにしても良い。この場合、発振制御部３１を構成するマイクロコンピュータが分周パターンの数に対応する値をランダムに発生するようにプログラミングしておく。
【００６５】
また、指示する分周比パターンの使用順序を１つではなく、複数用意しておき、それら複数のパターン順序を順次またはランダムに適用するようにしても良い。例えば、図５（ｂ）のＰＴ１、ＰＴ２に示すように、使用パターンの順序を２種類用意しておき、水平走査線が７ライン表示される毎にＰＴ１とＰＴ２を交互に適用するようにしても良い。これにより、水平走査線上に発生するノイズの位置が同じ分周パターンを繰り返す場合に比べてよりランダムになり、一層ノイズを目立たなくすることが可能となる。
【００６６】
また、本実施形態では、基本信号の周波数を分周して、７つのパターンの発振周波数を使用する場合について説明したが、７つのパターンに限らず、好適な発振周波数の範囲に入っていればよく、例えば、４つのパターンでもよい。この場合、隣接する水平走査線間の発振周波数の差が大きくなるように選択することが望ましい。例えば、図５の場合、パターン１，７，２，６の順に指定するようにすれば、ノイズをより目立たなくすることが可能である。
【００６７】
また、本実施形態では、基本信号としてカラーサブキャリアを用いたが、基本信号としてはカラーサブキャリアに限らず、例えばシステムマイコン用のクロック（４ＭＨｚ）を使用するようにしてもよい。
【００６８】
図７は４ＭＨｚクロック周波数を利用して、７つの異なる発振周波数を算出した一例を示している。発振周波数は５１．２８ｋＨｚから６０．６１ｋＨｚであり、分周比は１/３９から１／３３となっている。４ＭＨｚクロックをこの分周比で分周することにより、出力回路を介して１／７８分周から１／６６分周されることになり、上記発振周波数を得ることが出来る。この場合も図６の場合と同様に、水平走査期間毎に分周比を適用させる順番を昇順または降順にならないように指定する。例えば、パターン１，５，３，７，２，６，４の順に適用するようにする。その結果、水平走査線上に出現するノイズの位置は、連続した水平走査線に対して分散されるため、画質の劣化を解消でき、ユーザにとってノイズが目立たなくなる。
【００６９】
以上説明したように、本実施形態のバックライト装置では、インバータ回路２０を動作させるために４５ｋＨｚから６５ｋＨｚの範囲に入るような複数の発振周波数を使用する。これらの発振周波数はカラーサブキャリア等の基本信号の周波数を基に分周して生成し、インバータを動作させるようにしている。さらに、インバータ回路２０を動作させるために適用する発振周波数の順序を指示し、水平走査期間毎に異なる発振周波数でインバータ回路２０が動作するため、ノイズの発生する位置を隣接する水平走査線の間で同じにならないように分散させている。しかも、発振周波数の適用順を昇順または降順にならないようにすることにより、一定間隔にしないようにしている。これにより、バックライト装置２００のインバータ回路２０に起因するノイズの発生位置を水平走査線間で分散させることができ、ノイズとして目立たなくなるようにし、表示画面が見づらくなることを軽減することが可能となる。
【図面の簡単な説明】
【００７０】
【図１】自励型インバータ回路の一例を示す図である。
【図２】水平走査線上のノイズの発生する位置を説明する図である。
【図３】本発明に係るバックライト装置を有する液晶表示装置の構成を示すブロック図である。
【図４】図３の液晶表示装置に係るバックライト装置の構成を示すブロック図である。
【図５】インバータを動作させる発振周波数と基本信号の周波数の分周比との関係を示す図（その１）である。
【図６】本発明のバックライト装置を用いたときの水平走査線上に発生するノイズの位置を説明する図である。
【図７】インバータを動作させる発振周波数と基本信号の周波数の分周比との関係を示す図（その２）である。
【符号の説明】
【００７１】
１００…液晶表示装置、
２００…バックライト装置、
１１…制御部、
１３…ゲートドライバ、
１４…ソースドライバ、
１５…液晶パネル、
１６…アナログビデオ信号処理部、
１７…タイミングコントロール部、
２０…インバータ部、
２１…スイッチング部、
２２…トランス、
３０…インバータ制御部、
３１…発振制御部、
３２…１／Ｎ分周回路、
３３…出力回路、
４０…冷陰極管。
【図１】
2008070409.tif 000003
【図２】
2008070409.tif 000004
【図３】
2008070409.tif 000005
【図４】
2008070409.tif 000006
【図５】
2008070409.tif 000007
【図６】
2008070409.tif 000008
【図７】
2008070409.tif 000009